(57)【要約】【課題】既存建具金枠等を撤去し新規金枠に新替えする場合の係止を溶接接合等により連節係止し新替え改修を行っているが、使用中の建物に於ける火気の使用は安全上の問題等もあり禁止される場合が多く、合理的な固定と防火対応新規金枠の係止方法に苦慮している現状である。【解決の手段】本発明は、複合機能を備えたアンカープレートを所定位置に配し彫り込みアンカーボルト等で壁等に固定し、扉装着側枠と戸当たり後背の各辺部材を２分割し外側両端部に接続代を設けた形態として製造した新規金枠とアンカープレートの両端部に外側両端部の接続代に接する形態の接続代とを小螺子留めし、扉装着側枠に複数の嵌合具をアンカープレートに現場取り付けする他、戸当たり後背の各辺部材とをワンタッチで嵌め込み新規金枠を形成し、空隙部は乾燥モルタル等の中詰め材を充填して防火対応の新規金枠に新替えできる新規な方法を提供する。【選択図】図１
2004060414.tif 000002
【特許請求の範囲】
【請求項１】
金枠等の改修に於いて開口寸法の減少と鋼材の接続係止を溶接等の火気を使用せずに撤去新替えを行う方法として、予め係止する所定位置に特殊形状に加工したアンカープレートのみを壁床等の構造体に接続用アンカーボルトを用いて固定すると共に新規金枠と壁等との接続部のシール代底に於いて同アンカープレートと新規金枠端部とを小螺子等を用いて連節係止すると共に新規金枠材裏側に設置した嵌合具セットを同アンカープレートに後付け小螺子等留めし設置できる事を特徴とした金枠等の係止方法。
【請求項２】
請求項１に記載の方法を可能とする為、アンカープレートの前後両端部は新規金枠端部と接し小螺子留めする部位の接続形態に加工又は接続代を設けると共に構造体接続用アンカーボルト貫通固定用のルーズ穴開けと嵌合具セット係止用スペースを設け尚且つ係止強度を得る為の複数の螺子留め位置を確保した形態として新規金枠を設置できる事を特徴とした金枠等の係止方法。
【請求項３】
請求項１、２に記載の方法を可能とする為、新規金枠は扉装着側金枠と戸当たり後背部とを分割した形態とする事により新規金枠の取り付け作業が行い易くなり、扉装着側金枠とアンカープレートとの位置出し歪み調整等の接続係止作業を可能とし、扉装着側金枠とアンカープレートとを接続係止した後、戸当たり後背各辺部材を嵌合具セット及び小螺子等を用いて扉装着側金枠とアンカープレートに連節係止すれば既存金枠と同一寸法位置に新規金枠が設置できる事を特徴とした金枠等の係止方法。
【請求項４】
請求項１、２、３に記載の新規金枠形成設置後、内外周辺のシールを充填したのち、乾燥モルタル等の中詰め材を充填する事により強度と防火性能等の確保し、防火戸対応の新規枠が設置できる事を特徴とした金枠等の係止方法。
【発明の詳細な説明】
【０００１】
【発明の属する技術的分野】本発明は、金枠等の複数の係止用アンカープレートのみを予め接続用アンカーボルト等を用いて建物等構造体の装着予定位置に係止し、新規金枠を同アンカープレートに小螺子、嵌合具セット等を用いて装着すれば火気等を使用せず正確堅固に新規金枠を装着でき、
【０００２】使用する複数の係止用アンカープレートには新規枠内外両端部に於いて同アンカープレートと小螺子等を用いて係止する部位及び嵌合具セットの雄又は、雌具を装着するスペースを確保すると共に建物等構造体接続用アンカーボルトとの接続用ルーズ穴開け部位を設けた形態であり、建物等構造体と新規金枠とは同アンカープレートを介して連節係止し新規金枠の装着を可能とし、
【０００３】新規金枠は係止したアンカープレートとの装着を容易に行う形態とする為、扉装着側枠と戸当たり後背各辺部材とを２分割し現場装着作業時に於いては先ず、後背各辺部材を取り除いた扉装着側枠のみを差し込む形態で所定位置に据え、先付けしたアンカープレート端部と同枠端部の接続代とを複数の小螺子等を用いて連節係止すると共に新規枠材裏側に設置した嵌合具セットの雌雄いずれかの部材を同プレートに後付けし、一旦取り除いた後背部各辺部材を前記同様手順により新規金枠を形成装着したのち、
【０００４】壁床等との内外四周接続部シール代にシール材を充填した後、乾燥モルタル等の中詰め材を充填すれば、設置強度と防火性能等の確保した新規金枠が得られる。
【０００５】
【従来の技術】建造物に設置されている建具改修に伴う金枠等の撤去と新規金枠の取り付けは、壁床内等へ埋め込まれる金枠裏側に取り付けられたアンカープレートを予め埋め込まれている金物等へ溶接接合等により連節係止する方法が一般的に行われているが、
【０００６】使用中の建造物に於ける現場作業では火気の使用は殆どの場合禁止されている為、一体成形された金枠を既存壁床等に連節係止する現場作業に適応した簡易係止方法は殆ど現存しないと言っても過言ではない。
【０００７】
【発明が解決しようとする課題】本発明は、新規枠１を扉装着側枠１１と戸当たり後背部の各辺を覆う枠部材１２とに２分割して製造し複数の嵌合具４を用いて組み立てた新規枠１を現場取り付け作業時には枠部材１２を一旦取り外した扉装着側枠１１のみを既存枠撤去後の壁床イ、ロ、ハ等の所定部位に連節係止する作業は戸当たり部から内側枠材が取り外されている為係止作業が行い易く、
【０００８】所定部位に予め複数の特殊加工したアンカープレート２をアンカーボルト３等を使用して係止し、同アンカープレート２内外両端接続代２１、２２と新規枠端部の接続代１１１、１１３とを複数の小螺子等５を用いてそれぞれ接続係止すると同時に新規枠材裏面に装着されている嵌合具セット４の雌雄４１、４２のいずれかを相互に嵌合しアンカープレート２と小螺子等５を用い、又は、扉装着側枠１１各辺を覆う枠部材１２とを嵌合具セット４の雌雄４１、４２のいずれかを相互に嵌合し一体化すれば新規枠１をアンカープレート２を介して壁床イ、ロ、ハ等の構造体に堅固に連節係止し、
【０００９】装着した新規金枠１と壁床イ、ロ、ハ等との内外接触部四周のシール代６にシール材６１を充填したのち、内部の空隙部に乾燥モルタル等の中詰め材７を密に充填する事により防火対応の新規金枠１が設置できる。
【００１０】
【課題を解決するための手段】上記課題に沿って本発明は、改装工事に於ける撤去した既存枠の開口寸法を減少させず新規金枠１を設置する方法として、通常の場合は新規金枠１を形成する内側に装着されている複数のアンカープレート２を装着せず、別途特殊加工した多機能のアンカープレート２を先付けし同プレート２を介して新規金枠１を壁床イ、ロ、ハ等の構造体に堅固に連節係止する方法として，
【００１１】既存枠とモルタル等中詰め材を全て撤去した後、所定位置の複数箇所に鋼平板等を用いて特殊形状に加工したアンカープレート２を装着する為の彫り込みアンカーボルト３等を壁床イ、ロ、ハ等の構造体に堅固に取り付け、
【００１２】使用するアンカープレート２は新規金枠１を壁床イ、ロ、ハ等の内部に於いて新規金枠１の前後両端部接続代１１１、１１３と複数の小螺子等５を用いて連節係止するアンカープレート２両端部の接続代２１、２２と、
【００１３】壁床イ、ロ、ハ等の構造体に碇着する彫り込みアンカーボルト３等を固定するルーズ穴２３並びに、
【００１４】新規金枠１の扉装着側枠１１各辺を覆う枠部材１２とを嵌合具セット４の雌雄４１、４２のいずれかを嵌合した後、残る一方の雌雄４１、４２いずれかをアンカープレート２に小螺子等５を用い必要に応じてライナー等を挟み込むなどして位置正しく連節係止しアンカープレート２と一体化し新規金枠１の扉装着側枠１１を連節係止した後、
【００１５】扉装着側枠１１の戸当たり後背部１１２と戸当たり後背部各辺を覆う枠部材１２を複数の嵌合具セット４を嵌合し扉装着側枠１１と枠部材１２とを連節すると同時に後部接続代１１３と各アンカープレート接続代２１、２２に於いて小螺子５留めすれば新規金枠１全体を各アンカープレート２を介して壁床イ、ロ、ハ等の構造体に位置正しく連節係止する事ができる。
【００１６】壁床イ、ロ、ハ等との接するシール代６には目的に適合した種類のシール材６１を充填する。
【００１７】乾燥モルタル等の中詰め材７は細骨材と適量のポルトランドセメント等を混合した乾燥材料と周知の凝結促進剤を混入した水溶液とにより組成されていて、設置した新規金枠１内部の空隙部に柔軟性質のチューブ等を利用して混合した乾燥材料と適量の水溶液を注入すればポルトランドセメントと水溶液とが反応し注入した乾燥材料が硬化して空隙部を密に充填する事ができ、防火対応の新規金枠１の設置ができる。
【００１８】
【発明実施の形態】以下、図面に従って本発明を具体的に説明すれば、図１は壁床等イ、ロ、ハに設置した一例であり、防火対応の新規金枠１の設置断面図であり既存枠と中詰め材を撤去した後、新規金枠１の設置位置に対応した彫り込み又は、接着方式等のアンカーボルト３を壁床等イ、ロ、ハの構造体へ耐力有効に取り付け、
【００１９】新規金枠１の係止を所定位置に多機能を備えたアンカープレート２をアンカーボルト３を介して構造体に連節係止するが、アンカープレートの形態は壁床イ、ロ、ハ等の内部に於いて新規金枠１の前後両端部接続代１１１、１１３と複数の小螺子等５を用いて連節係止するアンカープレート２両端部の接続代２１、２２とアンカーボルト３を固定するルーズ穴２３利用して正確な位置に同プレートとアンカーボルト３を座金３１と位置調整ナット３２、締め付けナット３３等を用い必要に応じライナー飼い等を行い固定しアンカープレート２を設置した形態に、
【００２０】新規金枠１の前後両端部接続代１１１、１１３とアンカープレート２両端部の接続代２１、２２とを小螺子等５で係止すると同時に扉装着側枠１１所定裏面に装着した嵌合具セット４の雌具４１に据え付け現場において雄具４２を嵌合した後、アンカープレート２の所定位置に小螺子５留めして係止する一方戸当たり後背部の接続部位に於いて各辺を覆う枠部材１２とを嵌合具セット４の雌雄４１、４２相互を嵌合して新規金枠１を形成し連節係止した後、乾燥モルタル等の中詰め材を充填し新規金枠１を設置した断面図である。
【００２１】図２はアンカープレート２の平面と断面図により接続代、ルーズ穴、嵌合具の留め付けスペース等の配置概要を示している。
【００２２】図３は新規金枠１の形成形態を裏面から斜視した概略でありアンカーボルト３、アンカープレート２、座金３１と位置調整ナット３２、締め付けナット３３等の装着順位を示すと共に新規枠１の前後両端部接続代１１１、１１３とアンカープレート２両端部の接続代２１、２２とを小螺子等５で係止形態を示す。
【発明の効果】本発明は、既存金枠等を撤去し新規金枠に新替えする新規な方法として、複合機能を備えたアンカープレートを所定位置に配し彫り込みアンカーボルト等を用いて壁などに固定したうえ、扉装着側枠と戸当たり後背の各辺部材を２分割し外側両端部に接続代を設けた形態として製造した新規金枠とアンカープレートの両端部に外側両端部の接続代に接する形態の接続代とを小螺子留めする他、扉装着側枠に複数の嵌合具を装着し、一個はアンカープレートに現場取りつけとし、一個は戸当たり後背の各辺部材とをワンタッチで嵌め込み新規金枠全体を形成する事ができ、新規金枠と壁床等との空隙部は乾燥モルタル等の中詰め材を充填して防火対応の新規金枠に新替えできる新規な方法を提供する。
【図面の簡単な説明】
【図１】金枠等の係止方法の一例を表現した断面図である。
【図２】アンカープレート形状の一例を示す平面と断面概要図である。
【図３】新規金枠１の形成形態を裏面から斜視した概略図であり、アンカーボルト、ナット、座金、アンカープレート、嵌合具雌雄、小螺子等の関連を示す斜視図である。
【符号の説明】
イ　　　外壁
ロ　　　内壁
ハ　　　床
１　　　新規枠
１１　　扉装着側枠
１１１　外側接続代
１１２　戸当たり後背部
１１３　内側接続代
１２　　戸当たり後背枠部材
２　　　アンカープレート
２１　　外側接続代
２２　　内側接続代
２３　　ルーズ穴
２４　　嵌合具留め付けスペース
３　　　アンカーボルト
３１　　座金
３２　　位置調整ナット
３３　　締め付けナット
４　　　嵌合具セット
４１　　　〃　雌
４２　　　〃　雄
５　　　小螺子等
６　　　シール
６１　　　〃　代
７　　　中詰め材
【図１】
2004060414.tif 000003
【図２】
2004060414.tif 000004
【図３】
2004060414.tif 000005